(57)【要約】【課題】洗浄ノズル及びシャッタを乾燥可能な局部洗浄装置を提供する。【解決手段】局部洗浄装置１０は、進退可能に構成され、進出した位置で人体の局部の洗浄を行う洗浄ノズル３と、温風を発生させる温風発生手段４と、後退した位置において、洗浄ノズル３の少なくとも前部が配置される乾燥部５７と、乾燥部５７の前面に形成された洗浄ノズル３が進退する開口部５４ｈを開閉するシャッタ６と、を備え、温風発生手段４で発生した温風は、乾燥部５７に供給可能とされていることを特徴とする。【選択図】図２
2020122284.tif 000002
【特許請求の範囲】
【請求項１】
進退可能に構成され、進出した位置で人体の局部の洗浄を行う洗浄ノズルと、
温風を発生させる温風発生手段と、
後退した位置において、前記洗浄ノズルの少なくとも前部が配置される乾燥部と、
該乾燥部の前面に形成された前記洗浄ノズルが進退する開口部を開閉するシャッタと、を備え、
前記温風発生手段で発生した温風は、前記乾燥部に供給可能とされていることを特徴とする局部洗浄装置。
【請求項２】
前記洗浄ノズルが進出した位置で、前記温風は、前記洗浄ノズルの表面に沿って案内され前記人体の局部に到達可能である請求項１に記載の局部洗浄装置。
【請求項３】
前記温風発生手段と前記乾燥部の左右方向の一方側とを接続するダクトを備え、
側面視で、前記ダクトの上端は前記洗浄ノズルの上面よりも上方の高さ位置に配置され、前記ダクトの下端は前記洗浄ノズルの下面よりも下方の高さ位置に配置されている請求項１または２に記載の局部洗浄装置。
【請求項４】
前記乾燥部の前記開口部の形状は、前記洗浄ノズルの外周形状に対応した形状をなしている請求項１から３のいずれか一項に記載の局部洗浄装置。
【発明の詳細な説明】
【技術分野】
【０００１】
本発明は、局部洗浄装置に関するものである。
【背景技術】
【０００２】
従来から、便座に着座した利用者の局部洗浄を行う局部洗浄装置が知られている。局部洗浄装置の洗浄ノズルは、局部洗浄を行う際に前方に向かうにしたがって次第に下方に向かう方向に進出し、局部洗浄が終わると後退して元の位置に戻るように構成されている。
【０００３】
局部洗浄をすると、跳ね返った水や汚物等が洗浄ノズルに付着してしまうことがある。そこで、下記の特許文献１では、洗浄ノズルに水を供給して洗浄ノズルを清掃し、その後洗浄ノズルに温風を供給して洗浄ノズルを乾燥させるものが提案されている。水で洗浄ノズルを清掃することができるとともに、洗浄ノズルに付着した水滴を除去して細菌の繁殖を抑制する構成とされている。
【０００４】
また、局部洗浄装置には、洗浄ノズルがケースの内部に収容され、ケースには洗浄ノズルが進退可能に挿通される開口部が形成され、当該開口部を開閉するシャッタが設けられたものもある。
【先行技術文献】
【特許文献】
【０００５】
【特許文献１】特開２０１１−２０８３９９号公報
【発明の概要】
【発明が解決しようとする課題】
【０００６】
上記のシャッタが設けられた局部洗浄装置に、洗浄ノズルを清掃するための水を供給すると、シャッタにも水がかかってしまうことがあるため、シャッタも乾燥させることが望まれている。
【０００７】
そこで、本発明は、上記事情に鑑みてなされたものであり、洗浄ノズル及びシャッタを乾燥可能な局部洗浄装置を提供する。
【課題を解決するための手段】
【０００８】
上記目的を達成するために、本発明は以下の手段を採用している。
すなわち、本発明に係る局部洗浄装置は、進退可能に構成され、進出した位置で人体の局部の洗浄を行う洗浄ノズルと、温風を発生させる温風発生手段と、後退した位置において、前記洗浄ノズルの少なくとも前部が配置される乾燥部と、該乾燥部の前面に形成された前記洗浄ノズルが進退する開口部を開閉するシャッタと、を備え、前記温風発生手段で発生した温風は、前記乾燥部に供給可能とされていることを特徴とする。
【０００９】
このように構成された局部洗浄装置では、温風発生手段で発生した温風は、乾燥部に供給される。乾燥部の内部には後退した位置の洗浄ノズルの少なくとも前部が配置されているため、後退した位置で洗浄ノズルの少なくとも前部を乾燥させることができる。また、洗浄ノズルを進出させて、洗浄ノズルの前部よりも後方の部分も乾燥させることができる。さらに、シャッタは乾燥部の前面の開口部に設けられているため、シャッタに向かって吹き付けられる温風や乾燥部の内部に充満する温風により、シャッタも乾燥することができる。
【００１０】
また、本発明に係る局部洗浄装置は、前記洗浄ノズルが進出した位置で、前記温風は、前記洗浄ノズルの表面に沿って案内され前記人体の局部に到達可能であることが好ましい。
【００１１】
このように構成された局部洗浄装置では、洗浄ノズルが進出した位置で、温風は、洗浄ノズルの表面に沿って案内され人体の局部に到達可能である。よって、洗浄ノズルの乾燥、シャッタの乾燥及び人体の局部の乾燥を、一の温風発生手段で行うことができる。
【００１２】
また、本発明に係る局部洗浄装置では、前記温風発生手段と前記乾燥部の左右方向の一方側とを接続するダクトを備え、側面視で、前記ダクトの上端は前記洗浄ノズルの上面よりも上方の高さ位置に配置され、前記ダクトの下端は前記洗浄ノズルの下面よりも下方の高さ位置に配置されていてもよい。
【００１３】
このように構成された局部洗浄装置では、温風は、温風発生手段に接続されたダクトから乾燥部に供給される。ダクトは、乾燥部の左右方向の一方側に接続されている。後退した位置の洗浄ノズルの少なくとも前部は、乾燥部に配置されている。側面視で、ダクトの上端は洗浄ノズルの上面よりも上方の高さ位置に配置され、ダクトの下端は洗浄ノズルの下面よりも下方の高さ位置に配置されている。これにより、ダクトから乾燥部に流入する温風は、洗浄ノズルの左右方向の一方側の側面全体に吹き付けられ、その後洗浄ノズルの上面及び下面に沿って流れ、洗浄ノズルの左右方向の他方側の側面に到達する。よって、温風が洗浄ノズルの外周面全体に到達するため、洗浄ノズルの外周面全体を乾燥させることができる。
【００１４】
また、本発明に係る局部洗浄装置では、前記乾燥部の前記開口部の形状は、前記洗浄ノズルの外周形状に対応した形状をなしていてもよい。
【００１５】
このように構成された局部洗浄装置では、乾燥部の開口部の形状は洗浄ノズルの外周形状に対応した形状をなしているため、温風が洗浄ノズルの外周面沿って、開口部から流出する。よって、温風の洗浄ノズルの外周面に沿った流れを形成することができるため、洗浄ノズルをより確実に乾燥させることができる。
【発明の効果】
【００１６】
本発明に係る局部洗浄装置によれば、洗浄ノズル及びシャッタを乾燥することができる。
【図面の簡単な説明】
【００１７】
【図１】本発明の第一実施形態に係る局部洗浄装置を備えた便器装置の斜視図である。
【図２】本発明の第一実施形態に係る局部洗浄装置において、洗浄ノズルが後退した位置で、要部を前方且つ上方から見た斜視図である。
【図３】本発明の第一実施形態に係る局部洗浄装置において、洗浄ノズルが進出した位置で、要部を前方且つ上方から見た斜視図である。
【図４】本発明の第一実施形態に係る局部洗浄装置の乾燥部の構成を説明する図であり、前方から見た図である。
【図５】本発明の第一実施形態に係る局部洗浄装置の乾燥部の構成を説明する図であり、縦断面図である。
【図６】本発明の第一実施形態に係る局部洗浄装置において、シャッタが上部を開放させるように開いた状態での温風の流れを示す側面図である。
【図７】本発明の第一実施形態に係る局部洗浄装置において、シャッタが下部を開放させるように開いた状態での温風の流れを示す側面図である。
【図８】本発明の第二実施形態に係る局部洗浄装置の乾燥部を前方から見た図である。
【図９】本発明の第二実施形態に係る局部洗浄装置の縦断面図である。
【発明を実施するための形態】
【００１８】
（第一実施形態）
本発明の第一実施形態に係る局部洗浄装置を備えた便器装置について、図面を用いて説明する。
図１は、本発明の第一実施形態に係る局部洗浄装置を備えた便器装置の斜視図である。図１では、便蓋及ぶ便座が開いた状態を示している。
図１に示すように、便器装置１００は、下方に凹む開口部１１ａが設けられた便器１１と、便器１１に設置された便座装置１２と、を備えている。
【００１９】
なお、下記の説明において、利用者が便座装置１２の便座１４に着座した状態で前方を向く方向を「前方」とし、反対側を「後方」とし、これらを結ぶ方向を前後方向とする。また、便座１４に着座した利用者から見て左側を「左側」とし、右側を「右側」とし、これらを結ぶ方向を左右方向とする。
【００２０】
便座装置１２は、便器１１の後部上方に設置された本体部１３と、本体部１３に開閉（回動）可能に設けられた便座１４及び便蓋１５と、を備えている。
【００２１】
本体部１３は、各種機能を有する機能部１７と、機能部１７を収容するケース２０と、を有している。
【００２２】
機能部１７とは、局部洗浄装置１０、便座１４及び便蓋１５を回動させる回動機構、便器洗浄装置、脱臭装置等の各種機能装置並びに各種機能部品、これらの各種機能装置並びに各種機能部品を制御する制御部、及びこれらの各種機能装置並びに各種機能部品に電源を供給する電源部等を示している。
【００２３】
ケース２０は、便器１１の後部上方に設置されている。ケース２０の内部に、機能部１７が配置されている。
【００２４】
ケース２０は、機能部１７の上方に配置される上部ケース部２１と、便器１１の後部上面に沿って配置される下部ケース部２２（図６参照。以下同じ。）と、を有している。
【００２５】
上部ケース部２１の前端部２１ｆには、前後方向に開口する開口部２１ｈが形成されている。上部ケース部２１の前端部２１ｆは、便器１１の開口部１１ａの後部上方に配置されている。
【００２６】
次に、局部洗浄装置１０について説明する。
図２は、本発明の第一実施形態に係る局部洗浄装置において、洗浄ノズルが後退した位置で、要部を前方且つ上方から見た斜視図である。
図２に示すように、局部洗浄装置１０は、収容カバー１と、第１洗浄ノズル３Ａと、第２洗浄ノズル３Ｂと、第１洗浄ノズル３Ａ及び第２洗浄ノズル３Ｂに局部洗浄用の温水を供給する局部洗浄用温水供給部（不図示。以下同じ。）と、水等のノズル洗浄液を第１洗浄ノズル３Ａ及び第２洗浄ノズル３Ｂに供給するノズル洗浄液供給部（不図示。以下同じ。）と、温風発生ユニット（温風発生手段）４と、乾燥室５と、シャッタ６と、を備えている。
なお、以下の説明において、第１洗浄ノズル３Ａ及び第２洗浄ノズル３Ｂを総称して、単に洗浄ノズル３と称することがある。
【００２７】
収容カバー１は、ケース２０（図１参照。以下同じ。）内に配置されている。収容カバー１の内部に、後退した位置の洗浄ノズル３の前端部３ｆよりも後方の部分が収容されている。換言すると、後退した位置の洗浄ノズル３の前端部３ｆは、収容カバー１の前面に形成されたカバー開口部１ａから前方に突出している。
【００２８】
第１洗浄ノズル３Ａは、肛門洗浄用である。第２洗浄ノズル３Ｂは、ビデ用である。洗浄ノズル３は、前方に向かうにしたがって次第に下方に向かう方向（長さ方向）に沿って配置されている。
【００２９】
第１洗浄ノズル３Ａ及び第２洗浄ノズル３Ｂは、便器装置１００の左右方向の略中央に配置されている。第１洗浄ノズル３Ａ及び第２洗浄ノズル３Ｂは、左右方向に隣り合って配置されている。本実施形態では、第１洗浄ノズル３Ａが左側に配置され、第２洗浄ノズル３Ｂが右側に配置されている。
【００３０】
図３は、局部洗浄装置１０において、洗浄ノズル３が進出した位置で、要部を前方且つ上方から見た斜視図である。
図３に示すように、洗浄ノズル３は、不図示のラックアンドピニオン機構やモータ等で構成された送り出し機構により、前方に向かうにしたがって次第に下方に向かう斜め方向（進退方向）に進出するとともに、図２に示す元に位置まで後退可能とされている。
【００３１】
局部洗浄用温水供給部から、洗浄ノズル３の後端部近傍の給水口（不図示。以下同じ。）に温水が供給される。温水は、洗浄ノズル３の内部を流通して、前端部３ｆ近傍に設けられた吐水口３ｇから吐出される。
【００３２】
温風発生ユニット４は、ファン４１と、ファン４１の駆動によって吸い込んだ空気（外気）がヒータ（不図示。以下同じ。）で所定の温度に加熱されて、吹き出し口４４から温風を乾燥室５に向かって吹き出すように構成されている。
【００３３】
乾燥室５は、温風発生ユニット４で発生した温風が供給されている。乾燥室５は、温風発生ユニット４の吹き出し口４４に接続され、吹き出し口４４の前方に配置されている。
【００３４】
図４は、乾燥室５の構成を説明する図であり、前方から見た図である。図５は、乾燥室５の構成を説明する図であり、縦断面図である。図４及び図５において、シャッタ６の図示を省略している。
図４及び図５に示すように、乾燥室５は、ケース２０の下部ケース部２２に沿って配置された底壁部５１と、底壁部の５１の左右両端部から立設され側壁部５２と、底壁部５１の後端部から立設された後壁部５３と、底壁部５１の前端部から立設された前壁部５４と、側壁部５２、後壁部５３及び前壁部５４の各上端部に接続された上壁部５５と、を有している。
【００３５】
図２に示すように、乾燥室５において、洗浄ノズル３が配置される領域が乾燥室本体（乾燥部）５７とされている。また、乾燥室５において、温風発生ユニット４の吹き出し口４４と乾燥室本体５７とを接続する部分がダクト５８とされている。ダクト５８は、吹き出し口４４から前方に延び、その後湾曲して左側に延びる形状をなしている。乾燥室本体５７の左右方向の幅を５７ａで示し、ダクト５８の左右方向の幅を５８ａで示している。
【００３６】
ダクト５８の内部の流路を接続流路５Ａとし、乾燥室本体５７の内部の流路を乾燥流路５Ｂとする。接続流路５Ａは、乾燥流路５Ｂに右側（左右方向の一方側）に配置されている。接続流路５Ａは、乾燥流路５Ｂの右側に接続されている。
【００３７】
図５に示すように、底壁部５１は、洗浄ノズル３の下方に配置されている。底壁部５１は、板状に形成されている。底壁部５１は、板厚方向の上下方向に向けて配置されている。
【００３８】
上壁部５５は、洗浄ノズル３の上方に配置されている。上壁部５５は、板状に形成されている。上壁部５５は、板面が洗浄ノズル３の進退方向Ｘに沿う方向に配置されている。
【００３９】
図２及び図５に示すように、底壁部５１及び上壁部５５は、接続流路５Ａ及び乾燥流路５Ｂに連続して配置されている。
【００４０】
図５に示すように、接続流路５Ａ及び乾燥流路５Ｂにおいて、側面視で、上端（乾燥室５の上壁部５５）は、洗浄ノズル３の上面よりも上方の高さ位置に配置されている。これにより、乾燥流路５Ｂにおいて、洗浄ノズル３と上壁部５５との間には、温風が流通可能な上方流路５ｕが形成されている。
【００４１】
接続流路５Ａ及び乾燥流路５Ｂにおいて、側面視で、下端（乾燥室５の底壁部５１）は、洗浄ノズル３の下面よりも下方の高さ位置に配置されている。これにより、乾燥流路５Ｂにおいて、洗浄ノズル３と底壁部５１との間には、温風が流通可能な下方流路５ｄが形成されている。
【００４２】
後壁部５３には、収容カバー１の前端部に連続して配置されている。後壁部５３は、板状に形成されている。後壁部５３は、板厚方向を洗浄ノズル３の進退方向Ｘに向けて配置されている。後壁部５３には、洗浄ノズル３の進退方向Ｘに貫通する後部挿通孔５３ｈが形成されている。
【００４３】
後部挿通孔５３ｈ内には、洗浄ノズル３が配置されている。図３に示すように、正面視で、後部挿通孔５３ｈは、各洗浄ノズル３Ａ，３Ｂを合わせた形状よりも大きな形状をなしている。後部挿通孔５３ｈは、左右方向に長い長孔形状をなしている。
【００４４】
図５に示すように、前壁部５４は、乾燥室５の前面に配置されている。前壁部５４は、板状に形成されている。前壁部５４は、板厚方向を洗浄ノズル３の進退方向Ｘに向けて配置されている。前壁部５４には、洗浄ノズル３の進退方向Ｘに貫通する前部挿通孔（開口部）５４ｈが形成されている。
【００４５】
図４に示すように、正面視で、前部挿通孔５４ｈは、各洗浄ノズル３Ａ，３Ｂを合わせた形状よりも大きな形状をなしている。前部挿通孔５４ｈは、左右方向に長い長孔形状をなしている。
【００４６】
図２に示すように、洗浄ノズル３が後退した位置では、洗浄ノズル３は、前壁部５４よりも後方に配置されている。換言すると、洗浄ノズル３の前端部３ｆは、横向き流路５Ｂに配置されている。
【００４７】
図３に示すように、洗浄ノズル３が進出した位置では、洗浄ノズル３は、前壁部５４の挿通孔５４ｈ内に配置される。本実施形態では、洗浄ノズル３が進出すると、前部挿通孔５４ｈ内を洗浄ノズル３の前端部３ｆが通過し、前端部３ｆよりも後方の部分も前部挿通孔５４ｈを通過する。
【００４８】
図２に示すように、シャッタ６は、乾燥室５の前部挿通孔５４ｈの前方に配置されている。図１に示すように、シャッタ６は、ケース２０の開口部２１ｈを開閉するように設けられている。シャッタ６が開閉することで、乾燥室５の前部挿通孔５４ｈも開閉される。
【００４９】
図６は、シャッタ６が上部を開放させるように開いた状態での温風の流れを示す側面図である。図７は、シャッタ６が下部を開放させるように開いた状態での温風の流れを示す側面図である。
図６及び図７に示すように、シャッタ６は、ケース２０に設けられた左右一対の支持部（不図示。以下同じ。）に支持されている。シャッタ６は、左右方向を向く回動軸（不図示。以下同じ。）回りに回動可能とされている。
【００５０】
シャッタ６の後面６ｂには、シャッタ６がケース２０の開口部２１ｈを閉塞した状態（閉塞状態）で、後方に向かって突出する上部突起部６１及び下部突起部６２が設けられている。
【００５１】
図６に示すように、上部突起部６１は、第１洗浄ノズル３Ａの前端部３ｆと対向する位置に配置されている。上部突起部６１の後端部は、回動軸よりも上方に配置されている。
【００５２】
図７に示すように、下部突起部６２は、第２洗浄ノズル３Ｂの前端部３ｆと対向する位置に配置されている。下部突起部６２の後端部は、回動軸よりも下方に配置されている。
【００５３】
図６に示すように、シャッタ６の閉塞状態で、第１洗浄ノズル３Ａが進退方向Ｘの前方に移動すると、第１洗浄ノズル３Ａの前端部３ｆが上部突起部６１に当接し、シャッタ６を前方に押す。これにより、シャッタ６は上部突起部６１よりも下方に配置された回動軸を中心に回動し、シャッタ６の後面６ｂが上方且つ後方（斜め上方）を向くように、シャッタ６が上方に開いた（上方開放状態）となる。
【００５４】
図７に示すように、シャッタ６の閉塞状態で、第２洗浄ノズル３Ｂが進退方向Ｘの前方に移動すると、第２洗浄ノズル３Ｂの前端部３ｆが下部突起部６２に当接し、シャッタ６を前方に押す。これにより、シャッタ６は下部突起部６２よりも上方に配置された回動軸を中心に回動し、シャッタ６の後面６ｂが下方且つ後方（斜め下方）を向くように、シャッタ６が下方に開いた（下方開放状態）となる。
【００５５】
次に、温風の流れについて説明する。
ノズル洗浄液供給部がノズル洗浄液を洗浄ノズル３に供給して、洗浄ノズル３を洗浄（清掃）した後に、温風発生ユニット４が作動するように制御されている。
【００５６】
図２に矢印で示すように、シャッタ６の閉塞状態では、温風発生ユニット４で発生した温風は、乾燥室５の接続流路５Ａに供給される。温風は、接続流路５Ａから乾燥流路５Ｂに導入される。
【００５７】
接続流路５Ａ及び乾燥流路５Ｂにおいて、側面視で、乾燥室５の上壁部５５は洗浄ノズル３の上面よりも上方の高さ位置に配置され、乾燥室５の底壁部５１は洗浄ノズル３の下面よりも下方の高さ位置に配置されている。これにより、接続流路５Ａから乾燥流路５Ｂに導入される温風は、第２洗浄ノズル３Ｂの前端部３ｆの右側面全体に（上下方向の略全長にわたって）当たり、第２洗浄ノズル３Ｂの上方流路５ｕを通過して第２洗浄ノズル３Ｂの上面に沿って流れる。また、第２洗浄ノズル３Ｂの右側面に当たり、第２洗浄ノズル３Ｂの下方流路５ｄを通過して第２洗浄ノズル３Ｂの下面に沿って流れる温風もある。
【００５８】
第２洗浄ノズル３Ｂの上方流路５ｕから第１洗浄ノズル３Ａの上方流路５ｕに流れていく温風もある。温風は、第１洗浄ノズル３Ａの上面に沿って流れた後、左側面から下面に沿って流れる。
【００５９】
また、洗浄ノズル３Ａ，３Ｂとの間を通過する温風もある。温風は、第２洗浄ノズル３Ｂの下方流路５ｄを通過して第２洗浄ノズル３Ｂの下面に沿って流れたり、矢印では示してないが、第１洗浄ノズル３Ａの前端部３ｆの下方流路５ｄを通過して第１洗浄ノズル３Ａの下面に沿って流れたりする。
【００６０】
洗浄ノズル３Ａ，３Ｂは前方に向かうにしたがって次第に下方に向かうように傾斜しているので、洗浄ノズル３Ａ，３Ｂの傾斜姿勢に沿って温風は前方へと移動する。このようにして、洗浄ノズル３Ａ，３Ｂの前端部３ｆは温風により乾燥する。また、前方に向かう温風は、シャッタ６の後面６ｂに当たり、シャッタ６の後面６ｂも乾燥する。
【００６１】
図３に矢印で示すように、シャッタ６の開放状態では、乾燥室５の内部での温風の流れは上記のシャッタ６の閉塞状態と同様である。乾燥室５の内部には、洗浄ノズル３Ａ，３Ｂの前端部３ｆよりも後方の部分が配置されているため、洗浄ノズル３Ａ，３Ｂの前端部３ｆよりも後方の部分が温風により乾燥する。
【００６２】
乾燥室５の前部挿通孔５４ｈから流出して温風は、洗浄ノズル３Ａ，３Ｂの外周面に沿って流出する。これにより、洗浄ノズル３Ａ，３Ｂの前部も乾燥する。
【００６３】
図６に矢印で示すように、シャッタ６の上方開放状態で、洗浄ノズル３が進出すると、洗浄ノズル３の外周面（表面）に沿って案内された温風が、シャッタ６の後面６ｂに当たり、シャッタ６の後面６ｂが乾燥する。また、温風は、シャッタ６の後面６ｂで反射して、人体の局部に向かって吹き付けられる。
【００６４】
図７に矢印で示すように、シャッタ６の下方開放状態では、洗浄ノズル３が進出すると、洗浄ノズル３に沿って流通してきた温風が、シャッタ６の後面６ｂに当たり、シャッタ６の後面６ｂが乾燥する。また、温風がシャッタ６の後面６ｂに当たり、後面６ｂに付着していた水滴は吹き飛ばされたり、下方の便器１１の開口部１１ａ内に落下したりする。
【００６５】
また、シャッタ６の閉塞状態で熱風を吹き付けて小さい水滴を飛ばしてシャッタ６を乾燥し、シャッタ６の開放状態で温風を強風で吹き付けて大きい水滴を飛ばして洗浄ノズル３及びシャッタ６を乾燥させるように制御していてもよい。
【００６６】
このように構成された便器装置１００では、温風発生ユニット４で発生した温風は、乾燥室本体５７に供給される。乾燥室本体５７の内部には後退した位置の洗浄ノズル３の前端部３ｆが配置されているため、後退した位置で洗浄ノズル３の前端部３ｆを乾燥させることができる。また、洗浄ノズル３を進出させて、洗浄ノズル３の前端部３ｆよりも後方の部分も乾燥させることができる。さらに、シャッタ６は乾燥室５の前面の前部挿通孔５４ｈに設けられているため、シャッタ６に向かって吹き付けられる温風や乾燥室５の内部に充満する温風により、シャッタ６も乾燥することができる。したがって、洗浄ノズル３及びシャッタ６を乾燥させることで、細菌やカビの繁殖を抑制することができる。
【００６７】
また、洗浄ノズル３が進出した位置で、温風は、洗浄ノズル３の外周面に沿って案内され人体の局部に到達可能である。よって、洗浄ノズル３の乾燥、シャッタ６の乾燥及び人体の局部の乾燥を、一の温風発生ユニット４で行うことができる。したがって、洗浄ノズル３の乾燥用、シャッタ６の乾燥用及び人体の局部の乾燥用に、それぞれ別々の温風発生ユニットを設ける必要がなく、部品点数を抑えることができる。
【００６８】
また、洗浄ノズル３は便器装置１００の左右方向の略中央に配置されているため、温風を人体の局部の真後ろから吹き付けることができる。よって、人体の局部を効率的に乾燥させることができる。
【００６９】
また、温風は、温風発生ユニット４に接続されたダクト５８から乾燥室本体５７に供給される。ダクト５８は、乾燥室本体５７の右側に接続されている。後退した位置の洗浄ノズル３の前端部３ｆは、乾燥室本体５７に配置されている。側面視で、ダクト５８の上端（乾燥室５の上壁部５５）は洗浄ノズル３の上面よりも上方の高さ位置に配置され、ダクト５８の下端（乾燥室５の底壁部５１）は洗浄ノズル３の下面よりも下方の高さ位置に配置されている。これにより、ダクト５８から乾燥室本体５７に流入する温風は、洗浄ノズル３Ｂの右側面全体に（上下方向の略全長にわたって）に吹き付けられ、その後洗浄ノズル３Ｂの上面及び下面に沿って流れ、洗浄ノズル３Ｂの左側の側面に到達し、次に洗浄ノズル３Ａの外周面に到達する。よって、温風が洗浄ノズル３Ａ，３Ｂの外周面全体に到達するため、洗浄ノズル３Ａ，３Ｂの外周面全体を乾燥させることができる。
【００７０】
（第二実施形態）
次に、上記に示す第二実施形態に係る局部洗浄装置を備えた便器装置について、主に図８及び図９を用いて説明する。
下記に示す実施形態の説明において、前述した部材と同一の部材には同一の符号を付して、その説明を省略する。
図８は、本発明の第二実施形態に係る局部洗浄装置の乾燥部を前方から見た図である。図９は、本発明の第二実施形態に係る局部洗浄装置の縦断面図である。
図８及び図９に示すように、本実施形態では、乾燥室５の後壁部５３に形成された後部挿通孔５３ｊ及び前壁部５４に形成された前部挿通孔５４ｊは、洗浄ノズル３Ａ，３Ｂの外周形状に対応した形状をなしている。本実施形態では、後部挿通孔５３ｊ及び前部挿通孔５４ｊの形状は、洗浄ノズル３Ａ，３Ｂを合わせた形状よりも僅かに大きな形状をなしている。
【００７１】
後部挿通孔５３ｊは、洗浄ノズル３Ａ，３Ｂよりも僅かに大きな略円形状をなした一対の円形状部５９ａが左右に隣接配置された形状をなしている。後壁部５３には、円形状部５９ａの縁部に沿って、前方に延びる縁壁部５９ｃが形成されている。
【００７２】
前部挿通孔５４ｊは、洗浄ノズル３Ａ，３Ｂよりも僅かに大きな略円形状をなした一対の円形状部５９ｂが左右に隣接配置された形状をなしている。前壁部５４には、円形状部５９ｂの縁部に沿って、後方に延びる縁壁部５９ｄが形成されている。
【００７３】
図８に示すように、前壁部５４の後面には、左右の円形状部５９ｂの間に、上下にリブ５９ｅが設けられている。上側のリブ５９ｅは、左右の円形状部５９ｂの間の上部に設けられ、下方に向かうにしたがって左右方向の幅が小さくなる形状をなしている。下側のリブ５９ｅは、左右の円形状部５９ｂの間の下部に設けられ、上方に向かうにしたがって左右方向の幅が小さくなる形状をなしている。これにより、温風は、縁壁部５９ｄ及びリブ５９ｅに誘導されて、洗浄ノズル３の外周面に沿って流れやすい。後壁部５３の前面にも、同様にリブ（不図示）が設けられている。
【００７４】
このように構成された便器装置１００では、温風発生ユニット４で発生した温風は、乾燥室本体５７に供給される。乾燥室本体５７の内部には後退した位置の洗浄ノズル３の前端部３ｆが配置されているため、後退した位置で洗浄ノズル３の前端部３ｆを乾燥させることができる。また、洗浄ノズル３を進出させて、洗浄ノズル３の前端部３ｆよりも後方の部分も乾燥させることができる。さらに、シャッタ６は乾燥室５の前面の前部挿通孔５４ｈに設けられているため、シャッタ６に向かって吹き付けられる温風や乾燥室５の内部に充満する温風により、シャッタ６も乾燥することができる。したがって、洗浄ノズル３及びシャッタ６を乾燥させることで、細菌やカビの繁殖を抑制することができる。
【００７５】
また、乾燥室５の前壁部５４には、縁壁部５９ｄ及びリブ５９ｅが設けられている。よって、乾燥室５の内部で温風は縁壁部５９ｄ及びリブ５９ｅに誘導されて、洗浄ノズル３の外周面に沿って流れやすい。さらに、乾燥室５の前部挿通孔５４ｊの形状は洗浄ノズル３の外周形状に対応した形状をなしている。よって、乾燥室５から流出する温風は洗浄ノズル３の外周面沿って吹き出されるため、乾燥室５の前方においても、温風は洗浄ノズル３の外周面に沿って流れやすい。したがって、洗浄ノズル３をより確実に乾燥させることができる。
【００７６】
なお、本発明に係る便器装置１００は、上述した実施形態に限定されるものではなく、本発明の要旨を逸脱しない範囲で適宜の変更や置換等が可能である。
【００７７】
例えば、上記に示す実施形態では、洗浄ノズル３Ａ，３Ｂが左右に隣り合って配置されているが、本発明はこれに限られず、洗浄ノズルが１本で構成されていてもよい。この場合には、洗浄ノズルが進退する開口部の形状は、洗浄ノズルの外周形状に対応した形状であることが好ましい。洗浄ノズルが略円柱状をなす場合には、開口部は洗浄ノズルよりも少し大きい円形状をなすことが好ましい。
【００７８】
また、上記に示す実施形態では、洗浄ノズル３が後退した位置で、洗浄ノズル３の前端部３ｆが乾燥室の内部に配置されているが、本発明はこれに限られない。洗浄ノズルが後退した位置で、乾燥室の内部に洗浄ノズルの少なくとも前部が配置されていればよく、洗浄ノズルの全部が乾燥室の内部に配置される構成であってもよい。
【００７９】
また、上記に示す実施形態では、ダクト５８は乾燥室本体５７の左右方向の一方側に接続されているが本発明はこれに限られず、ダクトが乾燥室本体の上部や後部等の他の箇所に接続されていてもよい。
【００８０】
また、乾燥室５の前壁部５４において人体の局部と対向する位置に貫通孔を設けて、温風を当該貫通孔側に向かわせる第一ダクト（不図示。以下同じ。）と、温風を前部挿通孔５４ｈ側に向かわせる第二ダクト（不図示。以下同じ。）とを設け、これらのダクトへの温風の流れを切り替える切替機構を設けた構成であってもよい。この場合には、人体の局部を乾燥させる際には第一ダクト側に温風が流通するように切替機構を切り替えて、洗浄ノズル３及びシャッタ６を乾燥する際には第二ダクト側に温風が流通するように切替機構を切り替えるようにする。
【符号の説明】
【００８１】
１…収容カバー
３…洗浄ノズル
３Ａ…第１洗浄ノズル
３Ｂ…第２洗浄ノズル
４…温風発生ユニット（温風発生手段）
５…乾燥室
５Ａ…接続流路
５Ｂ…乾燥流路
６…シャッタ
１０…局部洗浄装置
１１…便器
１２…便座装置
１４…便座
１５…便蓋
２０…ケース
２１ｈ…開口部
５４ｈ…前部挿通孔（開口部）
５７…乾燥室本体（乾燥部）
５８…ダクト
１００…便器装置
Ｘ…進退方向
【図１】
2020122284.tif 000003
【図２】
2020122284.tif 000004
【図３】
2020122284.tif 000005
【図４】
2020122284.tif 000006
【図５】
2020122284.tif 000007
【図６】
2020122284.tif 000008
【図７】
2020122284.tif 000009
【図８】
2020122284.tif 000010
【図９】
2020122284.tif 000011